(57)【要約】      （修正有）【課題】千羽鶴の被贈呈者が、折り鶴用台紙内に美麗に配設された折り鶴及び当該折り鶴制作者の名前やメッセージ等を随時見ることができると共に、これにより被贈呈者は、「慶び」、「望み」、「勇気」又は「闘志」等が得られ、また、千羽鶴の被贈呈者が、贈呈された千羽鶴をほぼ半永久的に美麗に保存することができると共に、保存スペースも狭小にできる千羽鶴収納ファイルを提供する。【解決手段】ファイル１００は、表紙体１を構成する背表紙１ａ、オモテ表紙１ｂ及びウラ表紙１ｃと、千羽鶴贈呈者から被贈呈者へのメッセージ、写真等を表記するための見開き２及びメッセージシート３と、折り鶴Ｃを収納する収納部が形成された複数枚の折り鶴用台紙４と、背表紙１ａの内側面に装着された見開き２、メッセージシート３及び折り鶴用台紙４を綴じ込む綴じ具とからなっている。【選択図】図１
0003155754.tif 000002
【実用新案登録請求の範囲】
【請求項１】
背表紙、オモテ表紙及びウラ表紙からなる表紙体と、
折り鶴を収納する収納部が形成された複数枚の折り鶴用台紙と、
当該折り鶴用台紙を前記表紙体に綴じ込む綴じ具と、
から構成されたことを特徴とする千羽鶴収納ファイル。
【請求項２】
前記表紙体と前記折り鶴用台紙間に、
千羽鶴贈呈者から被贈呈者へのメッセージ、写真、イラスト又は寄せ書き等を表記するための見開き及び／又はメッセージシートを、
前記綴じ具を介して綴じ込んだ、
ことを特徴とする請求項１記載の千羽鶴収納ファイル。
【請求項３】
前記表紙体における背表紙には千羽鶴の文字を表記し、
前記オモテ表紙又はウラ表紙には１〜複数の鶴又は折り鶴の図形又は文字が表示されるかあるいは刺繍されている、
ことを特徴とする請求項１〜請求項２の何れかに記載の千羽鶴収納ファイル。
【請求項４】
前記見開きには、少なくとも千羽鶴贈呈の趣意を表す文字、図形、被贈呈者及び贈呈者の氏名又は名称が表記されている、
ことを特徴とする請求項２に記載の千羽鶴収納ファイル。
【請求項５】
前記複数枚からなる折り鶴用台紙には少なくとも合計して千羽又はそれ以上の折り鶴が収納されている、
ことを特徴とする請求項１〜請求項３の何れかに記載の千羽鶴収納ファイル。
【請求項６】
前記見開き、メッセージシート及び折り鶴用台紙が、Ａ４判、Ｂ５判又はＢ４判からなる、
ことを特徴とする請求項１〜請求項５の何れかに記載の千羽鶴収納ファイル。
【請求項７】
折り鶴の厚みとほぼ同寸かやや大とした厚紙からなり、
当該厚紙には折り鶴の首、尾羽及び両翼を折り曲げない形状で表裏面が打ち抜かれた収納部が、１又は複数である、
ことを特徴とする折り鶴用台紙。
【請求項８】
前記折り鶴用台紙における収納部近傍には１羽〜１０００羽の番号が順列して表示されている、
ことを特徴とする請求項１、請求項２、請求項５、請求項６及び請求項７の何れかに記載の折り鶴用台紙。
【請求項９】
前記番号が、前記折り鶴用台紙における表裏面のそれぞれの対応位置に表裏が異色で表記されている、
ことを特徴とする請求項１、請求項２、請求項５、請求項６、請求項７及び請求項８の何れかに記載の折り鶴用台紙。
【請求項１０】
前記折り鶴用台紙の下部又は余白部には折り鶴制作者の氏名、メッセージ、イラスト、寄せ書き又は制作年月日等を記載するメッセージ欄を設けている、
ことを特徴とする請求項１、請求項２、請求項５、請求項６、請求項７、請求項８及び請求項９の何れかに記載の折り鶴用台紙。
【請求項１１】
前記折り鶴用台紙の側端部には複数の綴じ穴が穿設されている、
ことを特徴とする請求項１、請求項２、請求項５、請求項６、請求項７、請求項８、請求項９及び請求項１０の何れかに記載の折り鶴用台紙。
【請求項１２】
前記折り鶴用台紙の表裏面は、再接着可能な粘着剤が塗布されると共に、透明樹脂フィルムで被覆されている、
ことを特徴とする請求項１、請求項２、請求項５、請求項６、請求項７、請求項８、請求項９、請求項１０及び請求項１１の何れかに記載の折り鶴用台紙。
【考案の詳細な説明】
【技術分野】
【０００１】
本考案は、千羽鶴収納ファイル及び折り鶴用台紙に関し、より詳しくは、長寿、病気快癒等の慶び、願い又は励まし等を込めて贈られ、千羽鶴を贈られた人が、折り鶴用台紙内に美麗に配設された折り鶴を写真アルバムを見るように、手軽にいつでも見ることができる、千羽鶴収納ファイルと千羽鶴を制作するための折り鶴用台紙に関する。
【背景技術】
【０００２】
中国及び日本においては、「鶴は千年、亀万年」ということわざがあるように、鶴は長寿と慶事のシンボルとされている。また鶴が空中を飛翔する姿や地上での優雅な舞や姿勢を和服の絵柄等に採り入れたり、結婚披露宴に使用される室名、テーブル名や各種慶事等にも広く用いられている。
【０００３】
従来、折り鶴は、折り紙を鶴に似せて所定の手順で制作されるものであり、折り鶴を千羽、紐又は糸を通し束ねて掛吊し、柱体等に取り付けたり、透明樹脂ケース内に収納して贈呈されている。古来より、千羽鶴は長寿、病気の快癒等に効能があると信じられ、例えば喜寿、傘寿、米寿又は白寿等を迎えた人や、病気又は怪我等による入院患者等に親族、友人、知己等によってプレゼントされる慣習がある。そのほかに千羽鶴は、スポーツ大会での健闘を祈念して、当該チーム等にチームメイトや関係者等から贈られることもある。このように、千羽鶴は、その制作者（贈呈者）一人一人からの「祝い」、「祈り」又は「励まし」等の心が込められたものであり、贈られた人（被贈呈者）は、これにより「慶び」、「望み」又は「勇気」、「闘志」等が得られる。
【０００４】
本願出願人による調査によれば、例えば、特許文献１の「折り鶴作成方法」（第１頁、参照）、特許文献２の「三角形の紙で作る折鶴」（第１頁、参照）等の折り鶴に関する先行技術文献が発見されたが、千羽鶴の制作及び折り鶴を収納するファイル又は折り鶴を収納する折り鶴用台紙等に関連する先行技術文献は検索されなかった。
【０００５】
上述のように、従来の千羽鶴の制作は、１〜複数の人が折り紙を所定の手順で制作した折り鶴を千羽集束し、紐又は糸を通して綴じ込み、柱体又は透明樹脂ケースの天板等に縦状に掛吊し、その制作者（贈呈者）から個人又はチーム等の被贈呈者に贈呈されている。
【０００６】
しかしながら、上記、従来の千羽鶴の制作、折り鶴の収納及び贈呈後の管理等には、以下のような欠点や問題点等がある。即ち、  
（１）折り終った折り鶴の数量が不明になり、たびたび数え直す必要があり、制作完了日を予測することが困難である。
（２）折り鶴を束ねた後、紐や糸での通し及び綴じ込み作業が煩瑣である。
（３）柱体やケース内に縦状に掛吊された千羽鶴は、贈られた人にはその一部しか見ることができない。
（４）千羽鶴を贈られた人は、千羽鶴の制作に携わった個々の名前を知りたい、又は礼状を差し出したいという希望があるが、従来の千羽鶴では、それが困難である。
（５）従来の千羽鶴の展示方法、特に、柱体に掛吊しているものには、千羽鶴の表面に埃が付着しやすいので、長期の保存には適さない。また例えば、病気や怪我等が快癒した後の処理、収納等に困惑している。
（６）例えば、入院患者への千羽鶴について、折り鶴の首、尾羽及び両翼は折らない方がよいとされている。
等々が指摘されている。
【先行技術文献】
【特許文献】
【０００７】
【特許文献１】特開２００４−２２９７３９号公報
【特許文献２】特開平９−２８５６５０号公報
【考案の概要】
【考案が解決しようとする課題】
【０００８】
本考案が解決しようとする、
（１）第１の課題は、千羽鶴の被贈呈者が、折り鶴用台紙内に美麗に配設された折り鶴及び当該折り鶴制作者の名前やメッセージ等を随時見ることができると共に、これにより被贈呈者は、「慶び」、「望み」、「勇気」又は「闘志」等が繰り返し得られる千羽鶴収納ファイルを提供することである。  
（２）第２の課題は、千羽鶴の被贈呈者が、贈呈された千羽鶴をほぼ半永久的に美麗に保存することができると共に、保存スペースも狭小とすることができる千羽鶴収納ファイルを提供することである。
（３）第３の課題は、多数の折り鶴を収納しても嵩高くならない折り鶴用台紙を提供することである。
（４）第４の課題は、千羽鶴の制作者達（１〜複数人）は、千羽鶴贈呈予定日に間に合うように、自己の制作ペースで折り鶴の制作を進めることができる折り鶴用台紙を提供することである。
（５）第５の課題は、オリジナルな表紙体又は収納具に適合する折り鶴用台紙を提供することである。
【課題を解決するための手段】
【０００９】
本考案者は、上記従来技術が有する各種問題点に鑑み、鋭意検討を重ねて本考案を完成させたものである。
課題を解決するための手段は、本願、実用新案登録請求の範囲の各請求項に記載の考案であり、その具体的な解決手段は、以下の通りである。
＊＊＊＊＊＊＊＊＊＊＊＊＊＊＊＊＊＊＊＊＊＊＊＊＊＊＊＊＊＊＊＊＊＊＊＊＊＊＊
本願考案における実用新案登録請求の範囲、明細書及び要約書等に記載の用語について
の解釈上の疑義を解消すべく、以下に本考案の実用新案登録請求の範囲、明細書等に記載する用語の説明を行うこととする。
〈用語の説明〉
○千羽鶴収納ファイルとは、千羽の折り鶴を収納した複数枚の折り鶴用台紙等を綴じ具と表紙体により、ファイリングしたものをいう。
○折り鶴用台紙とは、折り鶴を収納するための厚紙をいう。折り鶴の厚みとほぼ同寸かやや大とした厚紙からなり、当該厚紙には折り鶴の首、尾羽及び両翼を折り曲げない形状で表裏面が打ち抜かれた収納部が、１〜複数形成されている。Ａ４判、Ｂ５判又はＢ４判の大きさで、収納部近傍には１羽〜１０００羽の番号が順列して表裏面に表示され、１セットとして販売することができる。
○表紙体とは、背表紙、オモテ表紙及びウラ表紙全体の総称である。
○綴じ具とは、見開き、メッセージシート及び折り鶴用台紙等を綴じ込むための器具をいう。金属又は硬質樹脂材からなり、背表紙の内面に装着される。
○被贈呈者とは、千羽鶴を贈られる人をいう。例えば、喜寿、傘寿、米寿又は白寿等を迎える長寿者、銀婚式又は金婚式等を迎える夫妻、病気や怪我等での入院患者又は高校野球、サッカー等のスポーツ大会に出場するチーム等である。
○贈呈者とは、折り鶴を制作し、千羽鶴を贈る１〜複数の人をいう。例えば、長寿を迎える人、入院患者又は大会出場チーム等の親族、友人、知己又は関係者等である。
○千羽鶴贈呈の趣意とは、例えば、「千羽鶴」、「祝」、「祈」、「頑張れ」、「入魂」等の比較的短い文字等で表意する趣をいう。背表紙、オモテ表紙、見開き又はメッセージシート等に表記することにより、被贈呈者は、「慶び」、「望み」又は「勇気」、「闘志」等が得られる。
○収納部とは、折り鶴を一羽毎に収納するための折り鶴用台紙に打ち抜かれた穿設穴をいう。各折り鶴用台紙に複数設けられるもので、折り鶴の首、尾羽及び両翼は、下向きに折曲しない形状（例えば、平面視王冠状）で、折り鶴は平坦状に折り畳まれた態様で収納される。
＊＊＊＊＊＊＊＊＊＊＊＊＊＊＊＊＊＊＊＊＊＊＊＊＊＊＊＊＊＊＊＊＊＊＊＊＊＊＊＊
【００１０】
上記の課題を解決するための第１の考案は、請求項１に記載の考案であり、
背表紙、オモテ表紙及びウラ表紙からなる表紙体と、
折り鶴を収納する収納部が形成された複数枚の折り鶴用台紙と、
当該折り鶴用台紙を前記表紙体に綴じ込む綴じ具と、
から構成されたことを特徴としている。
【００１１】
上記の課題を解決するための第２の考案は、請求項２に記載の考案であり、
請求項１に記載の千羽鶴収納ファイルであって、
前記表紙体と前記折り鶴用台紙間に、
千羽鶴贈呈者から被贈呈者へのメッセージ、写真、イラスト又は寄せ書き等を表記するための見開き及び／又はメッセージシートを、
前記綴じ具を介して綴じ込んだ、
ことを特徴としている。
【００１２】
上記の課題を解決するための第３の考案は、請求項３に記載の考案であり、
請求項１〜請求項２のいずれかに記載の千羽鶴収納ファイルであって、
前記表紙体における背表紙には千羽鶴の文字を表記し、
前記オモテ表紙又はウラ表紙には１〜複数の鶴又は折り鶴の図形又は文字が表示されるかあるいは刺繍されている、
ことを特徴としている。
【００１３】
上記の課題を解決するための第４の考案は、請求項４に記載の考案であり、
請求項２に記載の千羽鶴収納ファイルであって、
前記見開きには、少なくとも千羽鶴贈呈の趣意を表す文字、図形、被贈呈者及び贈呈者の氏名又は名称が表記されている、
ことを特徴としている。
【００１４】
上記の課題を解決するための第５の考案は、請求項５に記載の考案であり、
請求項１〜請求項３のいずれかに記載の千羽鶴収納ファイルであって、
前記複数枚からなる折り鶴用台紙には少なくとも合計して千羽又はそれ以上の折り鶴が収納されている、
ことを特徴としている。
【００１５】
上記の課題を解決するための第６の考案は、請求項６に記載の考案であり、
請求項１〜請求項５の何れかに記載の千羽鶴収納ファイルであって、
前記見開き、メッセージシート及び折り鶴用台紙が、Ａ４判、Ｂ５判又はＢ４判からなる、
ことを特徴としている。
【００１６】
上記の課題を解決するための第７の考案は、請求項７に記載の考案であり、
（請求項１、請求項２、請求項５及び請求項６の何れかに記載の）折り鶴用台紙であって、
折り鶴の厚みとほぼ同寸かやや大とした厚紙からなり、
当該厚紙には折り鶴の首、尾羽及び両翼を折り曲げない形状で表裏面が打ち抜かれた収納部が、１又は複数である、
ことを特徴としている。
【００１７】
上記の課題を解決するための第８の考案は、請求項８に記載の考案であり、
請求項１、請求項２、請求項５、請求項６及び請求項７の何れかに記載の折り鶴用台紙であって、
前記折り鶴用台紙における収納部近傍には１羽〜１０００羽の番号が順列して表示されている、
ことを特徴としている。
【００１８】
上記の課題を解決するための第９の考案は、請求項９に記載の考案であり、
請求項１、請求項２、請求項５、請求項６、請求項７及び請求項８の何れかに記載の折り鶴用台紙であって
前記番号が、前記折り鶴用台紙における表裏面のそれぞれの対応位置に表裏が異色で表記されている、
ことを特徴としている。
【００１９】
上記の課題を解決するための第１０の考案は、請求項１０に記載の考案であり、
請求項１、請求項２、請求項５、請求項６、請求項７、請求項８及び請求項９の何れかに記載の折り鶴用台紙であって、
前記折り鶴用台紙の下部又は余白部には折り鶴制作者の氏名、メッセージ、イラスト、寄せ書き又は制作年月日等を記載するメッセージ欄を設けている、
ことを特徴としている。
【００２０】
上記の課題を解決するための第１１の考案は、請求項１１に記載の考案であり、
請求項１、請求項２、請求項５、請求項６、請求項７、請求項８、請求項９及び請求項１０の何れかに記載の折り鶴用台紙であって、
前記折り鶴用台紙の側端部には複数の綴じ穴が穿設されている、
ことを特徴としている。
【００２１】
上記の課題を解決するための第１２の考案は、請求項１２に記載の考案であり、
請求項１、請求項２、請求項５、請求項６、請求項７、請求項８、請求項９、請求項１０及び請求項１１の何れかに記載の折り鶴用台紙であって、
前記折り鶴用台紙の表裏面は、再接着可能な粘着剤が塗布されると共に、透明樹脂フィルムで被覆されている、
ことを特徴としている。
【考案の効果】
【００２２】
本考案に係る、千羽鶴収納ファイルは、上記のような特徴的構成要件から構成され、特徴的構成要件に応じた、以下のような本願考案特有の効果を奏する。また、上記のような特徴的構成要件から構成された千羽鶴収納ファイルによれば、本願考案の課題を十分解消することができた。
すなわち、第１の考案によれば、
「背表紙、オモテ表紙及びウラ表紙からなる表紙体と、折り鶴を収納する収納部が形成された複数枚の折り鶴用台紙と、当該折り鶴用台紙を前記表紙体に綴じ込む綴じ具と」から構成されたという、特徴的な構成要件により、
また第２の考案によれば、
「前記表紙体と前記折り鶴用台紙間に、千羽鶴贈呈者から被贈呈者へのメッセージ、写真、イラスト又は寄せ書き等を表記するための見開き及び／又はメッセージシートを、前記綴じ具を介して綴じ込んだ」という特徴的な構成要件により、
千羽鶴の被贈呈者が、折り鶴用台紙内に美麗に配設された折り鶴及び当該折り鶴制作者の名前やメッセージ等を随時見ることができると共に、これにより被贈呈者は、「慶び」、「望み」、「勇気」又は「闘志」等が繰り返し得られる千羽鶴収納ファイルの提供という、第１の課題と、千羽鶴の被贈呈者が、贈呈された千羽鶴をほぼ半永久的に美麗に保存することができると共に、保存スペースも狭小とすることができる千羽鶴収納ファイルの提供という、第２の課題を併せて解決することができた。即ち本考案が解決しようとする課題を解決することができ、当業者が予測不可能な顕著な効果を奏することができた。また、被贈呈者は、各贈呈者へ千羽鶴の礼状を差し出すことができる。特に入院患者は、贈呈者からのメッセージ、写真、イラスト又は寄せ書き等で精神的に勇気づけられ、ひいては、病気や怪我等の早期快癒に役立つことになる。
【００２３】
第３の考案によれば、
「前記表紙体における背表紙には千羽鶴の文字を表記し、前記オモテ表紙又はウラ表紙には１〜複数の鶴又は折り鶴の図形又は文字が表示されるかあるいは刺繍されている」という特徴的な構成要件により、
また第４の考案によれば、
「前記見開きには、少なくとも千羽鶴贈呈の趣意を表す文字、図形、被贈呈者及び贈呈者の氏名又は名称が表記されている」という特徴的な構成要件により、
さらに第５の考案によれば、
「前記複数枚からなる折り鶴用台紙には少なくとも合計して千羽又はそれ以上の折り鶴が収納されている」という特徴的な構成要件により、
千羽鶴の被贈呈者は、贈呈者の心、気配り、また気概等を深く感じて、その「慶び」、「望み」又は「勇気」、「闘志」等が倍加する効果を奏し、第１の課題を解決することができた。
【００２４】
第６の考案によれば、
「前記見開き、メッセージシート及び折り鶴用台紙が、Ａ４判、Ｂ５判又はＢ４判からなる」という、特徴的な構成要件により、
見開き、メッセージシート及び折り鶴用台紙は、綴じ具を介して適合する表紙体にファイリングされ、贈呈された千羽鶴を、ほぼ半永久的に美麗に保存することができると共に、保存スペースも狭小とすることができる千羽鶴収納ファイルの提供という、第２の課題を解決することができた。
【００２５】
第７の考案によれば、
「折り鶴の厚みとほぼ同寸かやや大とした厚紙からなり、当該厚紙には折り鶴の首、尾羽及び両翼を折り曲げない形状で表裏面が打ち抜かれた収納部が、１又は複数である」という、極めて特徴的な構成要件により、
多数の折り鶴を収納しても嵩高くならない折り鶴用台紙の提供という、第３の課題を解決することができた。
【００２６】
第８の考案によれば、
「前記折り鶴用台紙における収納部近傍には１羽〜１０００羽の番号が順列して表示されている」という、特徴的な構成要件により、
また第９の考案によれば、
「前記番号が、前記折り鶴用台紙における表裏面のそれぞれの対応位置に表裏が異色で表記されている」という、特徴的な構成要件により、
千羽鶴の制作者達が、千羽鶴贈呈日に間に合うように、それぞれ自分のペースで折り鶴を折り、制作済みの現在数を瞬時に確認しながら、折り鶴の制作を進めることができる折り鶴用台紙の提供という、第４の課題を解決することができた。また千羽鶴の被贈呈者は、折り鶴用台紙の表裏面を確認しながら折り鶴をみることができる。
【００２７】
第１０の考案によれば、
「前記折り鶴用台紙の下部又は余白部には折り鶴制作者の氏名、メッセージ、イラスト、寄せ書き又は制作年月日等を記載するメッセージ欄を設けている」という、特徴的な構成要件により、
被贈呈者は、各折り鶴用台紙の下部又は余白に記入された折り鶴制作者の氏名、メッセージ、イラスト等を見ながら、入院患者等は、病気や怪我に対する快癒の意欲が強くなり、またスポーツ大会に出場するチームの各選手は、贈られた千羽鶴によって勝利への希望とモチベーションが高まり、チームとしての団結力を強めることができる。
【００２８】
第１１の考案によれば、
「前記折り鶴用台紙の側端部には複数の綴じ穴が穿設されている」という、特徴的な構成要件により、
制作が完了した折り鶴用台紙を、例えば、金銀色又は紅白の紐体等で綴じて、手作りしたオリジナルな表紙体でファイリングして千羽鶴を贈呈することができ、また折り鶴用台紙に適合する美麗な桐箱等に収納して贈呈することができ、第５の課題を解決することができた。
【００２９】
第１２の考案によれば、
「前記折り鶴用台紙の表裏面は、再接着可能な粘着剤が塗布されると共に、透明樹脂フィルムで被覆されている」という、特徴的な構成要件により、
各折り鶴用台紙の収納部に収納された折り鶴は、表裏面の透明樹脂フィルムで固定されるので、折り鶴用台紙が捲られても折り鶴用台紙から脱落することがない。また収納部内の折り鶴には埃等が付着しないので、贈呈された千羽鶴を、ほぼ半永久的に美麗に保存することができると共に、保存スペースも狭小とすることができる折り鶴用台紙の提供という、第２の課題を解決することができた。
【図面の簡単な説明】
【００３０】
【図１】は、本考案に係る、千羽鶴収納ファイルの全体を示す斜視図である。
【図２】は、同オモテ表紙の平面図である。
【図３】は、同オモテ表紙の他の実施形態を示す平面図である。
【図４】は、同オモテ表紙を開いた状態の斜視図である。
【図５】は、同千羽鶴収納ファイルにおける見開きの平面図である。
【図６】は、同千羽鶴収納ファイルにおけるメッセージシートの平面図である。
【図７】は、折り鶴用台紙の各収納部に収納される折り鶴の平面図である。
【図８】は、１羽〜３６羽の折り鶴を収納する収納部を形成したＡ４判折り鶴用台紙の表面部の平面図である。
【図９】は、同上裏面部の平面図である。
【図１０】は、図８における１０−１０線拡大断面図である。
【図１１】は、９８７羽〜１０００羽目の折り鶴を収納する収納部を形成したＡ４判折り鶴用台紙の表面部の平面図である。
【考案を実施するための形態】
【００３１】
以下、本考案に係る、千羽鶴収納ファイルの一実施形態について、図面を参照して詳細に説明する。図１は、本考案に係る、千羽鶴収納ファイル（以下、ファイル１００という）の全体を示す斜視図で、ファイル１００は、表紙体１を構成する背表紙１ａ、オモテ表紙１ｂ及びウラ表紙１ｃと、千羽鶴贈呈者から被贈呈者へのメッセージ、写真、イラスト又は寄せ書き等を表記するための見開き２及びメッセージシート３と、折り鶴Ｃを収納する収納部が形成された複数枚の折り鶴用台紙４と、背表紙１ａの内側面に装着された見開き２、メッセージシート３及び折り鶴用台紙４を綴じ込む綴じ具５とからなっている。背表紙１ａには千羽鶴の文字６が表記されている。
【００３２】
図２は、本考案に係るファイル１００のオモテ表紙１ｂで、多数の折り鶴の図形７を表示している。多数の折り鶴の図形７は、ウラ表紙１ｃに表示することもできる。折り鶴の図形７は、例えば赤色折り鶴７ａと白色折り鶴７ｂと交互に配列することができる。もしくは赤色に替えて金色折り鶴７ａとし、白色に替えて銀色折り鶴７ｂとすることもできる。
【００３３】
図３は、オモテ表紙１ｂに多数の折り鶴の図形７を表示すると共に、オモテ表紙１ｂのほぼ中央に「祝」の文字８を表示してなるものである。図４は、オモテ表紙１ｂを開いた状態を示している。見開き２の上段には、被贈呈者の氏名又はチーム名９等の記入欄２ａが設けられている。記入欄２ａの下には千羽鶴贈呈の趣意を表す「祝米寿」の文字８を入れる趣意表示欄２ｂが設けられ、見開き２のほぼ中央には折り鶴の大きな図形７が表示されている。また下段には千羽鶴贈呈者からのメッセージ欄２ｃが設けられている。綴じ具５は、見開き２、メッセージシート３及び折り鶴用台紙４を綴じ込むためのものであり、各種の綴じ具５が選択されるが、例えばパイプ型バインダーが好ましい。
【００３４】
図５は、見開き２を拡大して図示したもので、５ａは綴じ穴である。図６は、メッセージシート３で、その四周縁には多数の折り鶴の図形７を表示している。メッセージシート３の上段にはメッセージ３ａが記載され、中央には被贈呈者が写された写真３ｂが表示され、下段には関係者からのメッセージ３ａが記入される。図７は、折り鶴用台紙４の各収納部４ａに収納される折り鶴Ｃの平面図で、折り鶴Ｃは、折り紙を所定の手順で折られたもので、図示するように折り鶴Ｃの首６Ｃａ、尾羽Ｃｂ及び両翼Ｃｃは、折り曲げられない態様で、表裏面が打ち抜かれて形成された折り鶴用台紙４の各収納部４ａに収納されるものである。
【００３５】
図８は、大きさをＡ４版とした折り鶴用台紙４の表面部を示している。図示するように、上段の左端から最下段の右端まで１羽〜３６羽の番号Ｎを表示した折り鶴Ｃを収納する収納部４ａが形成されている。収納部４ａの１羽〜３羽目まで折り鶴Ｃ１〜Ｃ３が、図７に示すような折り鶴Ｃの首Ｃａ、尾羽Ｃｂ及び両翼Ｃｃを折り曲げない態様でそれぞれ収納されている。制作された折り鶴Ｃは、４羽目以降の収納部４ａに順次収納されていく。折り鶴用台紙４の下部に形成された余白部には、メッセージ欄４ｂが設けられ、折り鶴Ｃの制作者の名前、メッセージ又は制作日等が記入される。４ｃは、各折り鶴用台紙４の表裏面に塗布された再接着可能な粘着剤で、Ｆは、各折り鶴用台紙４の表裏面を被覆する透明樹脂フィルムである。図９は、折り鶴用台紙４の裏面部を示している。図８に示す表面部の１羽〜３６羽の番号Ｎを、例えば黒色で表示すれば、図９に示す裏面部の対応する１羽〜３６羽の番号Ｎは赤色としている。これにより、千羽鶴の被贈呈者は、閲覧しているのが折り鶴用台紙４の表面か裏面か判断することができる。また折り鶴用台紙４の表面部と同様に折り鶴用台紙４の下部に形成された余白部には、メッセージ欄４ｂが設けられ、折り鶴Ｃの制作者の名前、メッセージ又は制作日等が記入される。５ａは折り鶴用台紙４の側端部に穿設された綴じ穴である。
【００３６】
図１０は、図８における折り鶴用台紙４の１０−１０線断面拡大図である。折り鶴用台紙４は厚紙を素材とし、その厚さ寸法ｗは、図７に示す折り鶴Ｃの厚みである約１ｍｍとほぼ同寸かやや大としている。折り鶴Ｃ３は、３羽の番号Ｎが表示された収納部４ａに収納されている。折り鶴用台紙４の表裏面は、再接着可能な粘着剤４ｃが塗布されると共に、透明樹脂フィルムＦで被覆されている。透明樹脂フィルムＦにより各収納部４ａに収納された折り鶴Ｃは、折り鶴用台紙４から脱落することがない。
【００３７】
図１１は、千羽鶴の最終ページである９８７羽〜１０００羽の番号Ｎが表示された折り鶴用台紙４の一実施形態を示している。収納部４ａの大きさ及び折り鶴Ｃは、図８及び図９に示す収納部４ａ及び折り鶴Ｃより大きく形成しているが、他の折り鶴用台紙４と同大とすることもできる。余白部にはメッセージ欄４ｂが設けられている。
【符号の説明】
【００３８】
１００                ファイル
Ｃ                    折り鶴
１                    表紙体
１ａ                  背表紙
１ｂ                  オモテ表紙
１ｃ                  ウラ表紙
２                    見開き
２ａ                  記入欄
２ｂ                  趣意表示欄
２ｃ                  メッセージ欄
３                    メッセージシート
３ａ                  メッセージ
３ｂ                  写真
４                    折り鶴用台紙
４ａ                  収納部
４ｂ                  メッセージ欄
４ｃ                  粘着剤
５                    綴じ具
５ａ                  綴じ穴
６                    千羽鶴の文字
７                    折り鶴の図形
７ａ                  赤色（金色）折り鶴
７ｂ                  白色（銀色）折り鶴
８                    文字
Ｎ                    番号
Ｆ                    透明樹脂フィルム
【図１】
0003155754.tif 000003
【図２】
0003155754.tif 000004
【図３】
0003155754.tif 000005
【図４】
0003155754.tif 000006
【図５】
0003155754.tif 000007
【図６】
0003155754.tif 000008
【図７】
0003155754.tif 000009
【図８】
0003155754.tif 000010
【図９】
0003155754.tif 000011
【図１０】
0003155754.tif 000012
【図１１】
0003155754.tif 000013
【手続補正書】
【提出日】平成21年9月27日(2009.9.27)
【手続補正１】
【補正対象書類名】実用新案登録請求の範囲
【補正対象項目名】全文
【補正方法】変更
【補正の内容】
【実用新案登録請求の範囲】
【請求項１】
背表紙、オモテ表紙及びウラ表紙からなる表紙体と、
折り鶴を収納する収納部が形成された複数枚の折り鶴用台紙と、
当該折り鶴用台紙を前記表紙体に綴じ込む綴じ具と、
から構成されたことを特徴とする千羽鶴収納ファイル。
【請求項２】
前記表紙体と前記折り鶴用台紙間に、
千羽鶴贈呈者から被贈呈者へのメッセージ、写真、イラスト又は寄せ書き等を表記するための見開き及び／又はメッセージシートを、
前記綴じ具を介して綴じ込んだ、
ことを特徴とする請求項１に記載の千羽鶴収納ファイル。
【請求項３】
前記表紙体における背表紙には千羽鶴の文字を表記し、
前記オモテ表紙又はウラ表紙には１〜複数の鶴又は折り鶴の図形又は文字が表示されるかあるいは刺繍されている、
ことを特徴とする請求項１〜請求項２の何れかに記載の千羽鶴収納ファイル。
【請求項４】
前記見開きには、少なくとも千羽鶴贈呈の趣意を表す文字、図形、被贈呈者及び贈呈者の氏名又は名称が表記されている、
ことを特徴とする請求項２に記載の千羽鶴収納ファイル。
【請求項５】
前記複数枚からなる折り鶴用台紙には少なくとも合計して千羽又はそれ以上の折り鶴が収納されている、
ことを特徴とする請求項１〜請求項３の何れかに記載の千羽鶴収納ファイル。
【請求項６】
前記見開き、メッセージシート及び折り鶴用台紙が、Ａ４判、Ｂ５判又はＢ４判からなる、
ことを特徴とする請求項１〜請求項５の何れかに記載の千羽鶴収納ファイル。
【請求項７】
折り鶴の厚みとほぼ同寸かやや大とした厚紙からなり、
当該厚紙には折り鶴の首、尾羽及び両翼を折り曲げない形状で表裏面が打ち抜かれた収納部が、１又は複数である、
ことを特徴とする折り鶴用台紙。
【請求項８】
前記折り鶴用台紙における収納部近傍には１羽〜１０００羽の番号が順列して表示されている、
ことを特徴とする請求項７に記載の折り鶴用台紙。
【請求項９】
前記番号が、前記折り鶴用台紙における表裏面のそれぞれの対応位置に表裏が異色で表記されている、
ことを特徴とする請求項８に記載の折り鶴用台紙。
【請求項１０】
前記折り鶴用台紙の下部又は余白部には折り鶴制作者の氏名、メッセージ、イラスト、寄せ書き又は制作年月日等を記載するメッセージ欄を設けている、
ことを特徴とする請求項７〜請求項９の何れかに記載の折り鶴用台紙。
【請求項１１】
前記折り鶴用台紙の側端部には複数の綴じ穴が穿設されている、
ことを特徴とする請求項７〜請求項１０の何れかに記載の折り鶴用台紙。
【請求項１２】
前記折り鶴用台紙の表裏面は、再接着可能な粘着剤が塗布されると共に、透明樹脂フィルムで被覆されている、
ことを特徴とする請求項７〜請求項１１の何れかに記載の折り鶴用台紙。